【手続補正書】
【提出日】令和2年9月7日(2020.9.7)
【手続補正１】
【補正対象書類名】特許請求の範囲
【補正対象項目名】全文
【補正方法】変更
【補正の内容】
【特許請求の範囲】
【請求項１】
画像処理装置であって、
読取手段と、
オブジェクトのオブジェクト名に基づいてファイル名を設定する第１の選択肢と、前記オブジェクト名とは異なる情報に基づいて前記ファイル名を設定する第２の選択肢とを含む複数の選択肢の中から選択された選択肢に関連付けられたオブジェクトを表示する表示手段と、
前記表示手段によって表示されたオブジェクトのユーザ操作の受付に基づいて、前記読取手段に原稿を読み取らせ、前記原稿を読み取ることによって生成された画像データと、前記選択された選択肢に基づいて決定されたファイル名とを含むファイルを生成し、前記生成されたファイルの送信処理を実行する制御手段と、
を有することを特徴とする画像処理装置。
【請求項２】
画像処理装置であって、
読取手段と、
オブジェクトのオブジェクト名に基づいてファイル名を設定する第１の選択肢と、前記オブジェクト名とは別に入力可能な情報に基づいて前記ファイル名を設定する第２の選択肢とを含む複数の選択肢の中から選択された選択肢に関連付けられたオブジェクトを表示する表示手段と、
前記表示手段によって表示されたオブジェクトのユーザ操作の受付に基づいて、前記読取手段に原稿を読み取らせ、前記原稿を読み取ることによって生成された画像データと、前記選択された選択肢に基づいて決定されたファイル名とを含むファイルを生成し、前記生成されたファイルの送信処理を実行する制御手段と、
を有することを特徴とする画像処理装置。
【請求項３】
読取設定がさらに前記オブジェクトに関連付けられ、
前記制御手段は、前記オブジェクトに関連付けられた読取設定に基づいて前記読取手段に原稿を読み取らせることを特徴とする請求項１又は２に記載の画像処理装置。
【請求項４】
宛先がさらに前記オブジェクトに関連付けられ、
前記制御手段は、前記オブジェクトに関連付けられた宛先への前記ファイルの送信処理を実行することを特徴とする請求項１乃至３のいずれか１項に記載の画像処理装置。
【請求項５】
送信種別がさらに前記オブジェクトに関連付けられ、
前記制御手段は、前記オブジェクトに関連付けられた送信種別に基づいて前記ファイルの送信処理を実行することを特徴とする請求項１乃至４のいずれか１項に記載の画像処理装置。
【請求項６】
前記送信種別は、電子メール、ＳＭＢ、及びＦＴＰのいずれか１つを含むことを特徴とする請求項５に記載の画像処理装置。
【請求項７】
前記オブジェクトの名称を前記オブジェクトとともに表示する手段を、更に有することを特徴とする請求項１乃至６のいずれか１項に記載の画像処理装置。
【請求項８】
外部装置と通信する通信手段を更に有し、
前記選択肢は、前記通信手段を介して前記外部装置から選択可能であることを特徴とする請求項１乃至７のいずれか１項に記載の画像処理装置。
【請求項９】
読取手段を有する画像処理装置を制御する制御方法であって、
オブジェクトのオブジェクト名に基づいてファイル名を設定する第１の選択肢と、前記オブジェクト名とは異なる情報に基づいて前記ファイル名を設定する第２の選択肢とを含む複数の選択肢の中から選択された選択肢に関連付けられたオブジェクトを表示する表示工程と、
前記表示工程で表示されたオブジェクトのユーザ操作の受付に基づいて、前記読取手段に原稿を読み取らせ、前記原稿を読み取ることによって生成された画像データと、前記選択された選択肢に基づいて決定されたファイル名とを含むファイルを生成し、前記生成されたファイルの送信処理を実行する制御工程と、
を有することを特徴とする制御方法。
【請求項１０】
読取手段を有する画像処理装置を制御する制御方法であって、
オブジェクトのオブジェクト名に基づいてファイル名を設定する第１の選択肢と、前記オブジェクト名とは別に入力可能な情報に基づいて前記ファイル名を設定する第２の選択肢とを含む複数の選択肢の中から選択された選択肢に関連付けられたオブジェクトを表示する表示工程と、
前記表示工程で表示されたオブジェクトのユーザ操作の受付に基づいて、前記読取手段に原稿を読み取らせ、前記原稿を読み取ることによって生成された画像データと、前記選択された選択肢に基づいて決定されたファイル名とを含むファイルを生成し、前記生成されたファイルの送信処理を実行する制御工程と、
を有することを特徴とする制御方法。
【請求項１１】
コンピュータに、請求項９又は１０に記載の制御方法の各工程を実行させるためのプログラム。
【手続補正２】
【補正対象書類名】明細書
【補正対象項目名】発明の名称
【補正方法】変更
【補正の内容】
【発明の名称】画像処理装置とその制御方法、及びプログラム
【手続補正３】
【補正対象書類名】明細書
【補正対象項目名】０００１
【補正方法】変更
【補正の内容】
【０００１】
本発明は、画像処理装置とその制御方法、及びプログラムに関する。
【手続補正４】
【補正対象書類名】明細書
【補正対象項目名】０００９
【補正方法】変更
【補正の内容】
【０００９】
本発明の目的は、１つのオブジェクトを登録するときに、そのオブジェクトのオブジェクト名に基づいてファイル名を設定するかと、そのオブジェクト名とは異なる情報に基づいてファイル名を設定するかを選択しておくことができる仕組みを提供することにある。
【手続補正５】
【補正対象書類名】明細書
【補正対象項目名】００１０
【補正方法】変更
【補正の内容】
【００１０】
上記目的を達成するために本発明の一態様に係る画像処理装置は以下のような構成を備える。即ち、
画像処理装置であって、
読取手段と、
オブジェクトのオブジェクト名に基づいてファイル名を設定する第１の選択肢と、前記オブジェクト名とは異なる情報に基づいて前記ファイル名を設定する第２の選択肢とを含む複数の選択肢の中から選択された選択肢に関連付けられたオブジェクトを表示する表示手段と、
前記表示手段によって表示されたオブジェクトのユーザ操作の受付に基づいて、前記読取手段に原稿を読み取らせ、前記原稿を読み取ることによって生成された画像データと、前記選択された選択肢に基づいて決定されたファイル名とを含むファイルを生成し、前記生成されたファイルの送信処理を実行する制御手段と、
を有することを特徴とする。
【手続補正６】
【補正対象書類名】明細書
【補正対象項目名】００１１
【補正方法】変更
【補正の内容】
【００１１】
本発明によれば、１つのオブジェクトを登録するときに、そのオブジェクトのオブジェクト名に基づいてファイル名を設定するかと、そのオブジェクト名とは異なる情報に基づいてファイル名を設定するかを選択しておくことができる。
【手続補正７】
【補正対象書類名】明細書
【補正対象項目名】００５０
【補正方法】変更
【補正の内容】
【００５０】
表示状態４０４は、タッチパネル３００にボタンが表示されるか否かを表示している。表示状態４０４が「表示」の場合はタッチパネル３００にボタンが表示され、表示状態４０４が「非表示」の場合はタッチパネル３００にボタンが表示されない。表示／非表示切替ボタン４０５は、ボタンの「表示」と「非表示」をトグルで選択可能なボタンである。表示／非表示切替ボタン４０５を押下すると、表示状態４０４の表示が切り替わる。削除ボタン４０６は、ワンタッチ送信ボタンを設定／削除するボタンである。ボタン情報領域４０３では、ボタン名として「申請書Ａ」、「申請書Ｂ」、「紹介状」、「問診票」、「申請書Ｃ」の５つのボタンが登録されている。「申請書Ａ」、「申請書Ｂ」、「紹介状」、「問診票」は、表示状態４０４が「表示」に設定されているため、タッチパネル３００にボタンが表示される。しかし「申請書Ｃ」は、表示状態４０４が「非表示」に設定されているため、タッチパネル３００にボタンは表示されない。ボタン情報領域４０３に保存された各ボタン設定は、ワンタッチ送信１からワンタッチ送信５のストレージ２１４にワンタッチ送信ボタン情報４０７として保持される。ワンタッチ送信ボタン情報４０７の一例を以下の表２に示す。
【手続補正８】
【補正対象書類名】明細書
【補正対象項目名】００５２
【補正方法】変更
【補正の内容】
【００５２】
表２に示すワンタッチ送信ボタン情報４０７は、登録されているボタンの１〜５の各ボタンＩＤに対して、ボタン名、アイコン情報、送信種別、表示状態４０５、ボタン設定データにより構成される。ここでボタン名は、図５のボタン名４１０２、図５では「申請書Ａ」により設定される。またアイコン情報は、図５のアイコンの設定４１２７により設定される。更に送信種別は、図５の送信種別４１０７により設定される。ボタン設定データの設定１〜設定５は、そのボタン名のボタンを押下したときに表示されるボタン設定編集画面の設定内容を示し、次の表ボタン設定データにボタン設定編集画面に設定される項目と設定内容を示す。尚、ボタン設定データの設定項目と内容は、図５〜図９を参照して後述する。